(57)【要約】【課題】１個の入力スイッチで通常使用モードと設定変更モードを、所定のパターンの入力によって区別できるようにして、専用スイッチや複数スイッチの同時押しを不用にする。【解決手段】１個の入力手段１１と、ヒータ１６と、温度センサ１９とを備え、前記入力手段１１からの入力パターンが、所定回数のパルスに続いて所定時間の無信号の組合せとなる入力パターンＰ１である場合には、設定変更モードが選択されて前記無信号に続いて入力された入力パターンＰ２に応じて設定温度の変更を行い、前記入力パターンＰ１以外の入力パターンである場合には通常モードが選択されて前記温度センサ１９情報に応じて前記ヒータ１６をＯＮ又はＯＦＦすることが出来るので、設定変更専用のスイッチが不要となり多機能ながら構成の簡単な温度制御装置を提供することが出来る。【選択図】図１
2007026693.tif 000002
【特許請求の範囲】
【請求項１】
１個の入力手段と、ヒータと、温度センサとを備え、前記入力手段からの入力パターンが、所定回数のパルスに続いて所定時間の無信号の組合せとなる入力パターンＰ１である場合には、設定変更モードが選択されて前記無信号に続いて入力された入力パターンＰ２に応じて設定温度の変更を行い、前記入力パターンＰ１以外の入力パターンである場合には通常モードが選択されて前記温度センサ情報に応じて前記ヒータをＯＮ又はＯＦＦする制御を行う構成とした温度制御装置。
【請求項２】
前記入力パターンＰ１の設定途上で一旦前記通常モードと判断することが無いように、通電開始から所定時間以内は前記通常モードを選択しない構成とした請求項１に記載の温度制御装置。
【請求項３】
前記入力パターンＰ１が入力されても、通電開始から所定時間以上経過していた場合には前記設定変更モードを選択しない構成とした請求項１または請求項２に記載の温度制御装置。
【請求項４】
前記通常モードでの動作表示を行う１個の表示手段を備え、前記設定変更モードにおける制御温度設定情報を前記表示手段の点滅パターンによって表示する構成とした請求項１または請求項２または請求項３に記載の温度制御装置。
【発明の詳細な説明】
【技術分野】
【０００１】
本発明は通常は規定の設定温度となるようにヒータ制御を行い、特殊設定手段により設定温度の調整が出来るようにした温度制御装置に関するものである。
【背景技術】
【０００２】
従来、この種の制御装置における特殊設定は、複数の操作スイッチを備えている機器においてその複数スイッチの同時押しによって特殊モードに遷移し、その後別の操作で所定の設定値をセットする構成としていた（例えば、特許文献１参照）。
【０００３】
図７は、特許文献１に記載された従来の温度制御装置を備えた給湯機の制御を示すブロック図であり、また図８は同給湯機の制御フローチャート図である。図７、図８において、固定スイッチ２は、給湯機の運転動作や温度設定等を操作指示する操作スイッチが複数個で構成されている。固定表示部３は、動作モードの表示や温度等の設定値を液晶等の表示デバイスによって表示するようになっている。コントローラ部４は操作された動作モードで予め設定された制御量設定に基き各種制御を行うようになっている。ここで固定スイッチ２を所定の動作例えば複数の操作スイッチのいずれかの組み合わせで同時押しすることで、スイッチ入力信号を受け取ったコントローラー部４は同時押しされたスイッチの組み合わせにより予めプログラムされた所定の特殊モード運転を開始し、固定表示部３の７セグメント部にモード名と設定量等を数字で表示させる。そして設定内容を変更・指示する場合は、予め決められた固定スイッチ２の操作により行う。
【特許文献１】特開２００１−２４１７６５号公報
【発明の開示】
【発明が解決しようとする課題】
【０００４】
しかしながら、前記従来の構成では、固定スイッチ２が複数の操作スイッチで構成されている場合には適用できるが、操作スイッチが１個の場合には適用出来ない、という課題を有していた。また、表示手段に液晶や７セグメントの数字表示器を備えている場合には、設定結果を表示できるが、そうでない場合には表示することが出来ない、或いは表示できても設定専用の表示を追加するためスペース・コスト・意匠の上で不利となるという課題も有していた。
【０００５】
本発明は、前記従来の課題を解決するもので、１個の操作スイッチからの信号の入力パターンを区別することで設定変更モードに切り替え、制御温度の設定を変更できるようにすることを目的とする。
【課題を解決するための手段】
【０００６】
前記従来の課題を解決するために、本発明の温度制御装置は、通常動作におけるヒータ動作のＯＮ−ＯＦＦを行うための操作スイッチを特定の入力パターンＰ１で操作することで、設定変更モードに入り、その後入力パターンＰ２の操作をすることで設定温度が変更できる構成としており、１個の操作スイッチによって通常動作と設定変更を兼用することが出来るので、設定変更専用のスイッチが不要となり多機能ながら構成の簡単な温度制御装置を提供することが出来る。
【０００７】
また、本発明の温度制御装置は、通電が開始されてから所定の時間以内は通常モードが選択されない構成であるので、設定変更モードに入れるために所定の入力パターンＰ１でスイッチを操作する際に、最初の１回目のスイッチ操作によって通常モードとの区別が出来ないために通常モードでヒータＯＮのモードとなってしまう、ということを防ぐ事が出
来るので、設定変更の際にも使い勝手の良い温度制御装置を提供することが出来る。
【０００８】
また、本発明の温度制御装置は、通電が開始されてから所定の時間以上経過すれば、設定変更モードに入らない構成とすることで、不用意に設定変更モードに入ることを防ぐことが出来るので、信頼性の高い温度制御装置を提供することが出来る。
【０００９】
また、本発明の温度制御装置は、設定変更モードにおいて、通常動作の動作表示用の表示装置の点滅パターンを変える事で設定状態を区別して表示する構成であるので、表示装置を増やすことなく設定状態を表示することが出来るので、スペースやコストや意匠を犠牲にすることなく、使い勝手の良い温度制御装置を提供することが出来る。
【発明の効果】
【００１０】
本発明の温度制御装置は、通常動作用のスイッチを特殊操作することで設定温度を変更することが出来、しかも専用スイッチを備えることなく、１個だけの操作スイッチによって可能となるので、使い勝手が良く、量産性の高い温度制御装置を提供することが出来る。
【発明を実施するための最良の形態】
【００１１】
第１の発明は、１個の入力手段と、ヒータと、温度センサとを備え、前記入力手段からの入力が、所定回数のパルスに続いて所定時間の無信号の組合せとなる入力パターンＰ１である場合には、設定変更モードが選択され、前記無信号に続いて入力された入力パターンＰ２に応じて設定温度の変更を行い、前記入力パターン１以外の入力パターンである場合には通常モードが選択されて前記温度センサ情報に応じて前記ヒータをＯＮ又はＯＦＦする制御を行う構成としており、１個の操作スイッチによって通常動作と設定変更を兼用することが出来るので、設定変更専用のスイッチが不要となり多機能ながら構成の簡単な温度制御装置を提供することが出来る。
【００１２】
第２の発明は、特に、第１の発明の温度制御装置の、通常モードでの動作に制限を設けるものであり、入力パターンＰ１を入力する途中で一旦通常モードに入ってしまうのを防ぐために、通電開始から所定時間以内は前記通常モードと判断しない構成とすることで、設定変更モードに入る途中で一旦ヒータが入ってしまうことを防ぐ事が出来、設定変更の際にも使い勝手の良い温度制御装置を提供することが出来る。
【００１３】
第３の発明は、特に、第１または第２の発明の温度制御装置の、設定変更モードに入るタイミングに制限を設けるものであり、入力パターンＰ１が入力されても、通電開始から所定時間以上経過していた場合には設定変更モードを選択しない構成としたものであり、不用意に設定変更モードに入ることを防ぐことが出来るので、信頼性の高い温度制御装置を提供することが出来る。
【００１４】
第４の発明は、特に、第１〜３のいずれか１つの発明の温度制御装置の、設定変更モードにおいて、通常動作の動作表示用の表示装置の点滅パターンを変える事で設定状態を区別して表示する構成であるので、表示装置を増やすことなく設定状態を表示することが出来るので、スペースやコストや意匠を犠牲にすることなく、使い勝手が良くて量産性の高い温度制御装置を提供することが出来る。
【００１５】
以下、本発明の実施の形態について、図面を参照しながら説明する。なお、この実施の形態によって本発明が限定されるものではない。
【００１６】
（実施の形態１）
図１は本発明の第１の実施の形態における温度制御装置のタイミングチャートを示し、
図２は同装置の回路図を示すものである。
【００１７】
図１、図２において、入力手段１１は、スイッチ１２とプルダウン抵抗１３で構成され、電源１４に接続されており、スイッチ１２が押されたときは、マイコン１５の入力ＩＮ１にＨｉレベルが入力され、それ以外のときは、Ｌｏレベルが入力されるようになっている。ヒータ１６は加熱手段で、トランジスタ１８で制御される。マイコン１５の出力ＯＵＴ１がＨｉを出力すると、抵抗１７を通してトランジスタ１８のベース電流が流れてトランジスタ１８がＯＮし、ヒータ１６に電流が流れてヒータ加熱動作を行う。マイコン１５の出力ＯＵＴ１がＬｏを出力すると、トランジスタ１８にベース電流が流れないためトランジスタ１８がＯＦＦし、ヒータ１６に電流が流れずヒータは加熱しない。加熱温度は温度センサ１９で検出し、抵抗２０とからなる分圧回路によって温度を電圧に変換し、マイコン１５の入力ＩＮ２へ入力する。マイコン１５は、入力された電圧をＡＤ変換して温度データを得る。温度センサの温度が、設定温度よりも高い場合はヒータ１６をＯＦＦし、設定温度よりも低い場合はヒータ１６をＯＮすることで、設定温度を保持する。
【００１８】
以上のように構成された温度制御装置について、以下その動作、作用を説明する。
【００１９】
まず、電源１４からマイコン１５に通電が開始されると、待機モードとなり、入力ＩＮ１からの入力信号待ちとなり、このとき出力ＯＵＴ１はＬｏでトランジスタ１８はＯＦＦでヒータ１６には通電されない。
【００２０】
スイッチ１２を３回押し、その後ｔ１以上の時間はスイッチ１２を操作しないようにすると、マイコン１５は設定変更モードに入る。次にスイッチ１２を２回押せば、マイコン１５は設定温度を２℃高くし、設定変更モードは終了する。入力パターンＰ２と設定変更の関係は予めプログラムされており、例えばスイッチ３回操作であれば２℃低くする、スイッチ４回操作であれば４℃高くする、というように設定されており、ユーザーの好みに合わせて幅広く設定が可能になっている。
【００２１】
通常動作モードで使用するには、スイッチ１２を１回だけ操作すれば、入力パターンがＰ１とは異なるため、設定変更モードには入らず、通常動作モードに遷移して、ヒータ１６の加熱が開始される。もう一度スイッチ１２を操作すれば、ヒータ１６はＯＦＦし、通常動作モードから待機モードとなる。
【００２２】
以上のように、１個のスイッチ１２だけで、通常の加熱動作の入切を行うことも出来るし、所定のパターンでの操作により設定温度を変更するための設定変更モードにもなるので、特別に専用の操作スイッチを追加することなく、ユーザーの好みに合わせた温度調節を、部品を追加することなく実現可能とすることが出来る。
【００２３】
（実施の形態２）
図３は、本発明の第２の実施の形態の温度制御装置のタイミングチャートである。尚、本発明の第１の実施の形態と同一部分は、同一番号を付記して説明を援用する。
【００２４】
図３において、本温度制御装置への通電開始直後からマイコン１５は内部のタイマー２を作動させ、時間ｔ２までの間のみ、通常モードに入らないようにしている。こうする事によって、設定変更モードとするためにスイッチ１２を３回操作するときの最初の１回目の操作で一旦通常動作モードとなってしまい、ヒータ１６がＯＮしてしまうことを防止することが出来る。すなわち、本温度制御装置へ通電開始してから時間ｔ２までの間は通常動作モードと判断せず、設定変更モードが設定されるかどうかを見極め、スイッチ１２の操作が入力パターンＰ１と異なっている場合のみ、速やかに通常動作モードとして動作する。
【００２５】
通電開始から時間ｔ２が経過後に、所定の入力パターンの入力があった場合は、一旦通常モードを受け付けてヒータ１６は動作するが、設定変更モードに入ることは出来るので、時間ｔ２経過前の場合と同様に設定温度を変更することは可能である。
【００２６】
以上のように、通常モードでの動作に制限を設けて、通電開始から所定時間以内は通常モードを選択しない構成とすることで、入力パターンＰ１の設定途中に最初の１回目のスイッチ１２の操作によって通常モードとの区別が出来ないために通常モードでヒータ１６がＯＮのモードとなってしまうことを防ぐ事が出来るので、設定変更の際にも使い勝手の良い温度制御装置を提供することが出来る。
【００２７】
（実施の形態３）
図４は、本発明の第３の実施の形態の温度制御装置のタイミングチャートである。尚、本発明の第１の実施の形態と同一部分は、同一番号を付記して説明を援用する。
【００２８】
図４において、本温度制御装置への通電開始直後からマイコン１は内部のタイマー３を作動させ、時間ｔ３までの間のみ、設定変更モードに入ることが出来るようにしている。従って、通電開始後から時間がｔ３以上経過すれば、所定の入力パターンによってスイッチ１２が操作されても、設定変更モードに入ることが出来ないように制限をしている。
【００２９】
以上のように、設定変更モードへの遷移条件に制限を設けて、通電開始から所定時間以内のみ、かつ所定の入力パターンが入力された場合のみ設定変更モードに遷移することが出来る構成とすることで、不用意に設定変更モードに入らないようにしており、信頼性の高い温度制御装置を提供することが出来る。
【００３０】
（実施の形態４）
図５は、本発明の第４の実施の形態の温度制御装置の回路図であり、図６は、同温度制御装置の出力手段のタイミングチャートである。
【００３１】
図５の構成は、本発明の実施の形態１又は本発明の実施の形態２又は本発明の実施の形態３に、表示手段２１を追加したものである。
【００３２】
表示手段２１はＬＥＤを使い、抵抗２２を経てマイコン１５の出力ＯＵＴ２に接続されている。その他の構成は図２と同一である。
【００３３】
表示手段２１は、通常動作モードで点灯し、ヒータ１６の加熱を行っていることを表示する。待機モードにおいては、消灯している。
【００３４】
スイッチ１２の操作を所定のパターンで操作して設定変更モードに遷移し、続けて操作された入力パターンのスイッチ操作の回数を、表示手段２１で、点滅回数によって表示する。すなわち、図６に示すように、消灯と点滅を短い時間ｔ４で所定の回数繰り返す。なお、設定変更モードに入った時点で一旦現状の設定状態を表示するために表示手段２１を点滅させてもいい。
【００３５】
以上のように、通常動作で使用している表示手段２１をそのまま利用し、設定変更モードでは表示手段２１を点滅させ、その点滅パターンによって設定値を表示することが出来るので、スペース・コスト・意匠を犠牲にすることなく、使い勝手が良くて量産性の高い温度制御装置を提供することが出来る。
【産業上の利用可能性】
【００３６】
以上のように、本発明にかかる温度制御装置は、通常動作モードにおいてヒータをＯＮ−ＯＦＦさせるための１個の操作スイッチを特定のパターンで操作することで、温度等の設定を好みに合わせて設定変更することが出来るので、専用のスイッチを設けたり、複数スイッチを同時に操作することなく簡単な操作できめ細かくユーザーの好みに合わせて設定することができる温度制御装置を提供することが可能となる。
【図面の簡単な説明】
【００３７】
【図１】本発明の実施の形態１における温度制御装置のタイミングチャート
【図２】本発明の実施の形態１における温度制御装置の回路図
【図３】本発明の実施の形態２における温度制御装置のタイミングチャート
【図４】本発明の実施の形態３における温度制御装置のタイミングチャート
【図５】本発明の実施の形態４における温度制御装置の回路図
【図６】本発明の実施の形態４における温度制御装置の出力手段のタイミングチャート
【図７】従来の温度制御装置を備えた給湯機の制御を示すブロック図
【図８】従来の温度制御装置を備えた給湯機の制御フローチャート
【符号の説明】
【００３８】
１１  入力手段
１６  ヒータ
１９  温度センサ
２１  表示手段
【図１】
2007026693.tif 000003
【図２】
2007026693.tif 000004
【図３】
2007026693.tif 000005
【図４】
2007026693.tif 000006
【図５】
2007026693.tif 000007
【図６】
2007026693.tif 000008
【図７】
2007026693.tif 000009
【図８】
2007026693.tif 000010